(57)【要約】【課題】支柱への雨水などの浸入を抑える。【解決手段】支柱２の先端部２Ａに固定されるクランプ５と、前記クランプ５に支持される器具本体１０と、を備えた照明器具１において、前記クランプ５は、前記支柱２が挿入される筒部６と、前記器具本体１０の外面１１に係合する係合面７Ａを有し、前記筒部６の先端部６Ｂから前記支柱２の内部を通る配線を引き出す配線引出孔１４が前記係合面７Ａの面内中に形成されたフランジ部７と、を備え、前記フランジ部７の係合面７Ａには、前記配線引出孔１４の全周を囲む壁部１７が設けられている。【選択図】図１１
2018147794.tif 000002
【特許請求の範囲】
【請求項１】
支柱の先端に固定される支持部材と、前記支持部材に支持される器具本体と、を備えた照明器具において、
前記支持部材は、
前記支柱が挿入される筒部と、
前記器具本体の外面に係合する係合面を有し、前記筒部の先端部から前記支柱の内部を通る配線を引き出す配線引出孔が前記係合面の面内中に形成されたフランジ部と、を備え、
前記フランジ部の係合面には、前記配線引出孔の全周を囲む壁部が設けられている
ことを特徴とする照明器具。
【請求項２】
前記器具本体の外面と前記フランジ部の係合面との間には、排水凹部によって形成された排水路を備える
ことを特徴とする請求項１に記載の照明器具。
【請求項３】
前記排水路の出口は、前記器具本体の底面の側に配置されている、
ことを特徴とする請求項２に記載の照明器具。
【請求項４】
前記フランジ部の係合面には、水を外部に流す平面状の傾斜面が設けられている
ことを特徴とする請求項１〜３のいずれかに記載の照明器具。
【請求項５】
前記係合面には、２つの前記傾斜面が設けられ、
前記配線引出孔、及び前記壁部は、一方の傾斜面の面内に設けられ、
前記壁部は、他方の前記傾斜面との間に間隔をあけて設けられている
ことを特徴とする請求項４に記載の照明器具。
【請求項６】
前記器具本体は、前記外面を含む範囲に凹部が形成され、
前記凹部に、前記フランジ部が収められている、
ことを特徴とする請求項１〜５のいずれかに記載の照明器具。
【請求項７】
前記器具本体が前記支持部材に取付角度調整可能に支持されている
ことを特徴とする請求項１〜６のいずれかに記載の照明器具。
【発明の詳細な説明】
【技術分野】
【０００１】
本発明は、照明器具に関する。
【背景技術】
【０００２】
支柱の先端に器具本体を支持した照明器具が、道路灯や街路灯などの屋外照明に広く利用されている。また、この種の照明器具において、支柱に固定されて器具本体を支持する支持部材を備え、器具本体が支持部材に対して回転可能に連結されることで、器具本体の取付角度が調整可能な照明器具が知られている（例えば、特許文献１〜３参照）。
【先行技術文献】
【特許文献】
【０００３】
【特許文献１】実用新案登録第３１７６５３２号公報
【特許文献２】特開２０１５−８８３０８号公報
【特許文献３】中国特許出願公開第１０４８７９７１８号明細書
【発明の概要】
【発明が解決しようとする課題】
【０００４】
ところで、器具本体が回転可能になることで、支持部材と器具本体の連結部に隙間が多くなり、隙間から器具本体の中に雨水などが浸水し易くなる。
また、一般に、支柱の内部には、器具本体に電力を供給する電力供給線が通り、電力供給線が支柱の先端の開口から引き出されて器具本体に結線される。
しかしながら、器具本体に雨水などが浸入し易くなると、支柱の先端の開口から支柱の内部にも水が入り込み易くなる。この場合、支柱の中に納めれた電源回路などの各種の電気回路が水によってダメージを受けることがある。
【０００５】
本発明は、支柱への雨水などの浸入を抑えることができる照明器具を提供することを目的とする。
【課題を解決するための手段】
【０００６】
本発明は、支柱の先端に固定される支持部材と、前記支持部材に支持される器具本体と、を備えた照明器具において、前記支持部材は、前記支柱が挿入される筒部と、前記器具本体の外面に係合する係合面を有し、前記筒部の先端部から前記支柱の内部を通る配線を引き出す配線引出孔が前記係合面の面内中に形成されたフランジ部と、を備え、前記フランジ部の係合面には、前記配線引出孔の全周を囲む壁部が設けられていることを特徴とする。
【０００７】
本発明は、上記照明器具において、前記器具本体の外面と前記フランジ部の係合面との間には、排水凹部によって形成された排水路を備えることを特徴とする。
【０００８】
本発明は、上記照明器具において、前記排水路の出口は、前記器具本体の底面の側に配置されている、ことを特徴とする。
【０００９】
本発明は、上記照明器具において、前記フランジ部の係合面には、水を外部に流す平面状の傾斜面が設けられていることを特徴とする。
【００１０】
本発明は、上記照明器具において、前記係合面には、２つの前記傾斜面が設けられ、前記配線引出孔、及び前記壁部は、一方の傾斜面の面内に設けられ、前記壁部は、他方の前記傾斜面との間に間隔をあけて設けられていることを特徴とする。
【００１１】
本発明は、上記照明器具において、前記器具本体は、前記外面を含む範囲に凹部が形成され、前記凹部に、前記フランジ部が収められている、ことを特徴とする。
【００１２】
本発明は、上記照明器具において、前記器具本体が前記支持部材に取付角度調整可能に支持されていることを特徴とする。
【発明の効果】
【００１３】
本発明によれば、支柱への雨水などの浸入が抑えられる。
【図面の簡単な説明】
【００１４】
【図１】本発明の実施形態に係る照明器具の構成を示す斜視図である。
【図２】照明器具の側面図である。
【図３】照明器具の背面図である。
【図４】照明器具の平面図である。
【図５】図４のＶ−Ｖ断面線における断面図である。
【図６】蓋体を除いた器具本体の後端の側の内部構成を示す図である。
【図７】クランプの構成を示す斜視図である。
【図８】クランプの構成を示す図であり、（Ａ）は平面図、（Ｂ）は側面図、（Ｃ）は正面図である。
【図９】図８（Ｃ）のＶＩＩ−ＶＩＩ断面線における断面図である。
【図１０】器具本体とクランプの分解斜視図である。
【図１１】図５のＸ部の拡大図である。
【図１２】本発明の変形例に係る照明器具の断面図である。
【図１３】図１２のＹ部拡大図である。
【図１４】本発明の第１変形例に係る照明器具の平面図である。
【図１５】図１４のＸＶ−ＸＶ断面線における断面図である。
【図１６】本発明の第２変形例に係る器具本体を、後端の斜め下側からみた図である。
【図１７】本変形例に係るクランプの斜視図である。
【図１８】クランプを上側から見た平面図である。
【図１９】クランプを器具本体に略垂直な方向なら組み付ける際の組み付け作業の様子を示している。
【図２０】クランプを器具本体に略平行な方向なら組み付ける際の組み付け作業の様子を示している。
【発明を実施するための形態】
【００１５】
以下、図面を参照して本発明の実施形態について説明する。
図１は、本実施形態に係る照明器具１の構成を示す斜視図である。図２は照明器具１の側面図、図３は照明器具１の後端１０Ａをみた背面図、図４は照明器具１の平面図である。また図５は図４のＶ−Ｖ断面線における断面図である。なお、図２〜図６では、照明器具１の後端１０Ａの側を拡大して示し、また図３では、図１に示す蓋体４Ａを取り外した状態を示している。
照明器具１は、これらの図に示すように、器具本体１０と、クランプ５と、を備え、この器具本体１０が、道路脇、街路脇、駐車場、公園などの屋外に立設された支柱２の先端部２Ａにクランプ５に支持させて設置される。なお。以下では、器具本体１０からみて道路などの照射面が位置する方向を前方とし、その反対方向を後方と言う。
【００１６】
器具本体１０は、アルミニウム合金等のダイキャスト成型によって、平面視において略矩形状に形成されており、後端１０Ａの側で支柱２に支持されている。器具本体１０の上面４には、図１に示すように、後端１０Ａの側に、蓋体４Ａが開閉可能に設けられている。
【００１７】
図６は、蓋体４Ａを除いた器具本体１０の後端１０Ａの側の内部構成を示す図である。
同図に示すように、器具本体１０には後端１０Ａの側には結線室１２が設けられている。結線室１２には、中空の支柱２の内部を通じて導かれた電力供給線２５を器具本体１０に引き込む配線引込孔３０が設けられている。支柱２から結線室１２に引き込まれた電力供給線２５は、器具本体１０の各種の配線（例えば光源用の電気回路）と結線される。
【００１８】
結線室１２には、ワイヤ結合部１３が設けられており、このワイヤ結合部１３には、落下防止ワイヤ１５の一端が結合される。落下防止ワイヤ１５は他端が支柱２の内部のワイヤ固定部２Ｃ（図９）に固定されており、この落下防止ワイヤ１５によって、支柱２からの器具本体１０の落下防止が図られている。
【００１９】
また器具本体１０には、光源室２３（図１０）が設けられ、この光源室２３には、例えばＬＥＤやランプなどの光源が収められている。また器具本体１０の下面にはカバーガラス８（図１０）が嵌め込まれることで、光源室２３が閉塞されている。
【００２０】
本実施形態の照明器具１は、図２、及び図３に示すように、支柱２に固定される支持部材としてのクランプ５を備え、当該クランプ５が器具本体１０を支持しており、さらに、このクランプ５が器具本体１０の外側に設けられている。
【００２１】
図７は、クランプ５の構成を示す斜視図である。図８は、クランプ５の構成を示す図であり、図８（Ａ）は平面図、図８（Ｂ）は側面図、図８（Ｃ）は正面図である。図９は図８（Ｃ）のＩＸ−ＩＸ断面線における断面図である。また図１０は器具本体１０とクランプ５の分解斜視図である。
【００２２】
これらの図に示すように、クランプ５は、筒部６と、フランジ部７と、を備えている。
筒部６は、支柱２に挿嵌されて固定される部位であり、筒部６の周面には、ねじ孔６Ａが設けられている。ねじ孔６Ａには、取付ボルトが螺合し、取付ボルトによってクランプ５が支柱２に固定される。
支柱２を筒部６に嵌挿した状態では、図９に示すように、支柱２のフラットな先端面２Ｂが筒部６の先端部６Ｂに面で当接した（突き当てられた）状態で係合する。この突き当てにより、支柱２と筒部６との係合が安定する。
【００２３】
フランジ部７は、器具本体１０と係合し、固定される部位であり、図１０に示すように、器具本体１０の後端１０Ａの外面１１に係合する形状を成し、固定具たる複数本の固定ボルト１６によって器具本体１０に外側から固定される。
具体的には、図１０に示すように、フランジ部７には、筒部６を挟んだ両側のそれぞれにボルト挿通孔１８が設けられており、また器具本体１０の外面１１には、ボルト孔２０が設けられている。固定ボルト１６は、クランプ５のボルト挿通孔１８から挿通され、器具本体１０のボルト孔２０に螺合し、これによって、固定ボルト１６によってクランプ５と器具本体１０とが固定される。また、クランプ５が器具本体１０に固定されることで、器具本体１０がクランプ５を介して支柱２に結合されるので、クランプ５によって器具本体１０の落下防止も図られる。また、複数の固定ボルト１６が固定に用いられているので、落下防止が、より確実に行われる。
【００２４】
ここで、本実施形態の照明器具１は、クランプ５に対して器具本体１０の取付角度θ（図２）を調整可能に構成されている。
詳述すると、図８（Ｂ）に示すように、クランプ５のフランジ部７は、器具本体１０の外面１１と係合する係合面７Ａを有し、この係合面７Ａの側面視形状が、中心Ｏを中心とした円弧に形成されている。また、図１０に示すように、器具本体１０の側は、係合面７Ａに係合する外面１１が、この係合面７Ａと同じ側面視円弧状に形成されている。これら係合面７Ａと外面１１の係合によって、器具本体１０が係合面７Ａの円弧の中心Ｏ（図２）を中心に回転移動し、これにより、取付角度θが調整可能となる。
【００２５】
またフランジ部７の上記ボルト挿通孔１８は、中心Ｏの円弧に沿って延びる長孔形状に形成されており、固定ボルト１６がボルト挿通孔１８に挿入されたまま、器具本体１０が回転可能になる。これにより、作業者は、器具本体１０の外側から固定ボルト１６を外さずとも、固定ボルト１６を緩めるだけで、当該器具本体１０を回転させ取付角度θを調整できる。
【００２６】
また図７に示すように、フランジ部７の係合面７Ａには、ボルト挿通孔１８の周囲に、凹凸部１９が形成されており、また器具本体１０の外面１１には、図１０に示すように、フランジ部７の凹凸部１９に噛み合う凹凸部２１が形成されている。これら凹凸部１９、２１の噛み合いによって取付角度θが多段階に調整される。
【００２７】
フランジ部７の係合面７Ａには、図７、及び図８（Ａ）に示すように、支柱２の中空に連通する配線引出孔１４が形成されており、この配線引出孔１４を通じて電力供給線２５が支柱２から引き出され、器具本体１０の内部に配線引込孔３０を通じて導入される。なお、配線引出孔１４には、アース接続部２６が設けられており、このアース接続部２６には、器具本体１０から延びるアース線が接続される。
【００２８】
器具本体１０の配線引込孔３０は、取付角度θにかかわらず常に筒部６の配線引出孔１４が臨むように、比較的大きな開口寸法に形成されている。一方、クランプ５は、そのフランジ部７が、取付角度θにかかわらず器具本体１０の配線引込孔３０を露出させずに覆い隠す大きさに形成されており、当該フランジ部７が配線引込孔３０のカバーとして機能している。
【００２９】
また本実施形態の照明器具１では、図５に示すように、器具本体１０は、フランジ部７で覆われる外面１１を含む範囲が凹状の凹部３２に形成されており、この凹部３２の上縁部３２Ａが、フランジ部７の上方を覆う、いわゆる庇として機能する。この上縁部３２Ａによって、器具本体１０の上面４の側から流れ落ちる雨水がフランジ部７に入り込み難くなっている。また、凹部３２によって器具本体１０の外面１１の厚みが小さくなるので、軽量化が図られる。
【００３０】
次いで、クランプ５のフランジ部７の構成について詳述する。
フランジ部７は、上述の通り、器具本体１０の外面１１に係合する係合面７Ａを有し、図８（Ａ）、及び図８（Ｂ）に示すように、この係合面７Ａの略中央に、上記配線引出孔１４が設けられている。この配線引出孔１４の全周には、配線引出孔１４への雨水の浸入を防ぐ壁部１７（いわゆる土手）が設けられている。この壁部１７により、雨水がフランジ部７に係合面７Ａに入り込んだ場合でも、配線引出孔１４を通じて支柱２への雨水の浸入が防止され、支柱２の内部に収められた部品（例えば電源装置など）の雨水による損傷が抑えられる。
【００３１】
図７に示すように、係合面７Ａにおいて、平面状の傾斜面３４Ａの中に、配線引出孔１４、及び壁部１７が形成されている。円弧状に湾曲した係合面７Ａの面内に平面状の傾斜面３４Ａが設けられることで、係合面７Ａに凹みが生じクランプ５の軽量化が図られる。
【００３２】
図１１は、図５のＸ部の拡大図である。
傾斜面３４Ａは、図７、及び図１１に示すように、配線引出孔１４の側から係合面７Ａの一端部７Ａ１にかけて傾斜した平面である。また係合面７Ａには、傾斜面３４Ａとは別に、係合面７Ａの他端部７Ａ２から傾斜面３４Ａに亘って形成された平面状の傾斜面３４Ｂが設けられている。そして、これら傾斜面３４Ａ、３４Ｂによって、係合面７Ａ内に、比較的大きく凹む面内凹部３４が形成される。
【００３３】
これら傾斜面３４Ａ、３４Ｂは、面内凹部３４に入り込んだ雨水を外部に流す機能を有する。具体的には、クランプ５が支柱２に取り付けられた状態において、係合面７Ａの一端部７Ａ１は、配線引出孔１４及び壁部１７よりも下方に位置するので、傾斜面３４Ａは、一端部７Ａ１にかけて水平面よりも下方に傾斜する。
これにより、傾斜面３４Ａに浸入した雨水は、この傾斜面３４Ａの傾斜により、壁部１７の周囲を抜けながら一端部７Ａ１に向かって流下し、外部に排水される。これにより、配線引出孔１４の周囲に雨水が溜まることがないので、壁部１７を超えて配線引出孔１４に雨水が浸入することもない。また、フランジ部７の係合面７Ａに外部に貫通する貫通孔を形成して、面内凹部３４の雨水をフランジ部７の外部に排水する構成も考え得る。しかしながら、貫通孔を設けた場合、当該貫通孔から雨水がフランジ部７の内側にダイレクトに入り込む恐れもある。これに対して、本実施形態のクランプ５によれば、傾斜面３４Ａによって雨水を排水するので、外側からの入り込みを抑えつつ排水できる。
【００３４】
図１２は、アーム型の支柱２への照明器具１の取付状態を示す断面図であり、図１３は図１２のＹ部拡大図である。
本実施形態の照明器具１は、いわゆるアーム型の支柱２にも固定できる。アーム型の支柱２は、地面等に立設された、いわゆるポール型の支柱２（図１）に対し、図１２に示すように、その先端部２Ａが略水平に延びている。係る支柱２に照明器具１を固定する場合、クランプ５は、筒部６が器具本体１０の後方に延び、かつ、フランジ部７が器具本体１０の外面１１に係合する姿勢の状態で、固定ボルト１６によって器具本体１０に固定される。
【００３５】
図１３に示すように、アーム型の支柱２への取付状態では、クランプ５の係合面７Ａは、他端部７Ａ２が配線引出孔１４及び壁部１７よりも下方に位置し、傾斜面３４Ｂは、配線引出孔１４の側から一端部７Ａ２にかけて水平面よりも下方に傾斜する。これにより、係合面７Ａに浸入した雨水は、傾斜面３４Ｂの傾斜によって他端部７Ａ２に向かって流下し、外部に排水される。
なお、アーム型の支柱２の先端部２Ａが水平面に対し上方に傾いて延びている場合がある。この場合、先端部２Ａの傾きの角度に基づいて傾斜面３４Ｂの傾斜角を予め設定し、取付状態において、傾斜面３４Ｂを水平面よりも下方に確実に傾斜させる。一般に、アーム型の支柱２は、先端部２Ａが水平方向から上方に約５度傾いているので、本実施形態では、一般的なアーム型の支柱２の傾きに合わせて傾斜面３４Ｂの傾斜角を５度より大きな角度に設定している。例えば本実施形態では傾斜面３４Ｂの傾斜角を６度に設定している。
【００３６】
前掲図１１、図１３に示すように、本実施形態の照明器具１では、器具本体１０の後端１０Ａの外面１１の面内に、クランプ５の係合面７Ａと対面する箇所に、一端部４０Ａが器具本体１０の底面側に露出する排水凹部４０が形成されている。
図１１に示すように、ポール型の支柱２への取付状態においては、排水凹部４０が、傾斜面３４Ａとの間で、雨水を器具本体１０の外部に排水する排水路４２を形成し、また、アーム型の支柱２への取付状態においては、排水凹部４０が、傾斜面３４Ｂとの間で、上記排水路４２を形成する。これにより、係合面７Ａに浸入した雨水が効率良く外部に排水され雨水の停留が防止される。
また、排水凹部４０の一端部４０Ａが排水路４２の出口Ａを構成し、この出口４２Ａは、器具本体１０の底面側に位置するので、排水路４２へ雨水が浸入し難くなっている。
【００３７】
なお、排水凹部４０は、器具本体１０の側ではなく、係合面７Ａの傾斜面３４Ａ、３４Ｂに設けてもよい。
【００３８】
上述の通り、係合面７Ａには、２つの傾斜面３４Ａ、３４Ｂが設けられており、また前掲図９に示すように、配線引出孔１４、及び壁部１７は、一方の傾斜面３４Ａの面内に設けられ、この壁部１７は、他方の傾斜面３４Ｂとの間に間隔αをあけて設けられている。これにより、ポール型の支柱２に取付状態において（図１１）、他方の傾斜面３４Ｂを伝って雨水が傾斜面３４Ａに流れても、傾斜面３４Ｂから離れた壁部１７によって配線引出孔１４への浸入が確実に防止される。
【００３９】
ところで、本実施形態の照明器具１では、クランプ５の固定ボルト１６を外側から止めているため、固定ボルト１６の全てが抜けた状態になることがある。この場合、何ら対策を施さなければ、クランプ５が器具本体１０から外れてしまい、クランプ５は落下防止の機能を生じず、落下防止ワイヤ１５のみで落下が防止された状態となる。
そこで、本実施形態の照明器具１は、固定ボルト１６がクランプ５から外れた場合でも、クランプ５と器具本体１０の結合が維持される構成となっている。
【００４０】
詳述すると、図７に示すように、クランプ５には、その係合面７Ａの凹凸部１９の各々の近傍に、器具本体１０の側に延びる２本のボス５０が設けられている。また、図１０に示すように、器具本体１０の外面１１には、ボス５０が挿入されるボス挿入孔５１が形成されている。クランプ５のボス５０は、その先端に、ねじ孔５０Ａ（図７）が設けられており、ねじ孔５０Ａには、図１１、及び図１３に示すように、ポール型、及びアーム型の支柱２のいずれの取付状態においても、器具本体１０の内面６０に係合する座金５６が組み込まれた座金組込ネジ５８がネジ止めされている。座金組込ネジ５８のネジ止めが、図６に示すように、器具本体１０の内側（より具体的には、結線室１２の内部）から行われることで、固定ボルト１６とは別に、クランプ５が器具本体１０の内側から脱落不能に結合される。
【００４１】
これにより、固定ボルト１６が脱落した場合でも、座金組込ネジ５８がクランプ５を器具本体１０の内側から結合しているので、クランプ５と器具本体１０との結合が維持されることとなる。また、固定ボルト１６が器具本体１０の外側からネジ止めされるのに対し、座金組込ネジ５８は、角度調整作業や設置作業時にアクセスが不要な器具本体１０の内側にネジ止めされる構成なので、これらの作業時に座金組込ネジ５８が誤って外される、といったことがない。
【００４２】
図１１、及び図１３に示すように、ボス５０は、器具本体１０の内面６０よりも幅δだけ浸入する長さに形成されており、器具本体１０の内面６０と座金５６の間に幅δの隙間が設けられている。この隙間によってクランプ５と器具本体１０との結合に遊びが設けられる。これにより、固定ボルト１６を緩めれば、座金組込ネジ５８の結合に阻害されることなく、クランプ５に対して器具本体１０をスムーズに回転させ、取付角度θを調整できる。
【００４３】
また本実施形態の照明器具１では、図６、及び図１０に示すように、器具本体１０のボス挿入孔５１は、取付角度θの調整時に、ボス５０の移動を案内する寸法の長孔に形成されている。これにより、２本のボス５０と各ボス挿入孔５１との係合によって取付角度θの調整時のガタ付きが抑えられる。また、このガタ付きによって、フランジ部７の２箇所の凹凸部１９のそれぞれが異なった噛み合わせ状態となる器具本体１０の誤取付も防止できる。
【００４４】
本実施形態によれば、次のような効果を奏する。
本実施形態の照明器具では、フランジ部７の係合面７Ａに、配線引出孔１４の全周を囲む壁部１７が設けられている。これにより、配線引出孔１４への雨水の浸入が壁部１７によって防止されるので、支柱２への雨水の浸入が抑えられる。
【００４５】
本実施形態の照明器具１では、器具本体１０の外面１１とクランプ５のフランジ部７の係合面７Ａとの間に、排水凹部４０によって形成された排水路４２が設けられているので、フランジ部７の内部に浸入した雨水を排水路４２で外部に排水し、内部での溜まりを防止できる。
【００４６】
本実施形態の照明器具１では、排水路４２の出口４２Ａが、器具本体１０の底面の側に配置されているので、この排水路４２へ雨水が浸入し難くなる。
【００４７】
本実施形態の照明器具１では、フランジ部７の係合面７Ａに、水を外部に流す平面状の傾斜面３４Ａ、３４Ｂが設けられているので、ポール型、及びアーム型のいずれの支柱２に取り付けられた状態においても、フランジ部７に入り込んだ雨水を傾斜面３４Ａ、３４Ｂで確実に外部に流すことができる。
【００４８】
本実施形態の照明器具１では、配線引出孔１４、及び壁部１７は、一方の傾斜面３４Ａの面内に設けられ、この壁部１７は、他方の傾斜面３４Ｂとの間に間隔αをあけて設けられている。これにより、雨水が傾斜面３４Ｂを伝ってフランジ部７に浸入した場合でも、配線引出孔１４に入り込み難くできる。
【００４９】
本実施形態の照明器具１では、器具本体１０には、外面１１を含む範囲に凹部３２が形成され、この凹部３２に、クランプ５のフランジ部７が収められている。
これにより、凹部３２がクランプ５のフランジ部７の上方を覆う、いわゆる庇となり、当該フランジ部７への雨水の入り込みが抑えられる。
【００５０】
本実施形態の照明器具１では、器具本体１０がクランプ５に取付角度θを調整可能に支持されている。これにより、器具本体１０がクランプ５に対して可動することで隙間が増え、これらの隙間から雨水がクランプ５の中に浸入し易くなった場合でも、配線引出孔１４への雨水の入り込みを防止できる。
【００５１】
本実施形態の照明器具１では、器具本体１０は、固定ボルト１６を緩め、或いは外した状態において、クランプ５との結合を維持しつつ取付角度θを調整可能にクランプ５に設けられている。これにより、器具本体１０をクランプ５に固定する全ての固定ボルト１６が外れた場合でも、器具本体１０とクランプ５の結合が維持され、クランプ５による器具本体１０の落下を防止できる。
【００５２】
本実施形態の照明器具１では、器具本体１０の内側でクランプ５と器具本体１０とを座金組込ネジ５８で結合した。これにより、角度調整作業時にアクセスが不要な器具本体１０の内側で座金組込ネジ５８がネジ止めされる構成なので、この作業時に座金組込ネジ５８が誤って外される、といったことがない。
【００５３】
本実施形態の照明器具１では、座金組込ネジ５８が、取付角度調整を阻害しない遊びを有した状態で器具本体１０とクランプ５とを結合する構成とした。
これにより、取付角度θの調整をスムーズに行うことができる。
【００５４】
本実施形態の照明器具１では、クランプ５から器具本体１０のボス挿入孔５１を通って当該器具本体１０の内部に延びるボス５０と、このボス５０に固定され、器具本体１０の内面６０に係合する上記座金組込ネジ５８とによって、固定ボルト１６とは別に、クランプ５を器具本体１０に内側で結合する結合手段が構成されている。
これにより、クランプ５を器具本体１０に組み付け、器具本体１０の内部でボス５０に座金組込ネジ５８を設けるだけで、固定ボルト１６とは別に、クランプ５を器具本体１０に簡単に結合させることができる。
【００５５】
本実施形態の照明器具１では、取付角度θの調整に伴うボス５０の移動をボス挿入孔５１が案内する構成となっている。
これにより、ボス５０とボス挿入孔５１との案内時の係合によって、取付角度調整時のガタ付きが抑えられ、このガタ付きに起因した、器具本体１０の誤取付が防止される。
【００５６】
上述した実施形態は、あくまでも本発明の一態様を例示したものであって、本発明の趣旨を逸脱しない範囲で任意に変形、及び応用が可能である。
【００５７】
（変形例１）
上述した実施形態では、クランプ５の係合面７Ａには、配線引出孔１４の両脇にボス５０を設けたが、これに限らない。例えば、配線引出孔１４を囲む壁部１７を器具本体１０の側に延ばしてボスを形成してもよい。
【００５８】
図１４は本変形例に係る照明器具１００の平面図である。図１５は図１４のＸＶ−ＸＶ断面線における断面図である。なお、これらの図において、上述の実施形態で説明した部材には同一の符号を付して、その説明を省略する。
【００５９】
図１５に示すように、照明器具１００のクランプ１０５は、係合面７Ａの配線引出孔１４を囲む壁部が器具本体１１０の内部まで柱状に延出し、当該壁部によってボス１５０が形成されている。このボス１５０の頂部には、器具本体１１０の内面６０に係合する係合片１６０が固定されている。この係合片１６０には、孔部１６１が設けられ、この孔部１６１を通じて電力供給線２５が引き出される。
【００６０】
そして、本変形例においては、係合片１６０により、クランプ１０５が器具本体１１０の内部で締結される。また、この照明器具１００にあっては、クランプ１０５の係合面７Ａの配線引出孔１４を囲む壁部が器具本体１１０の内部に至るほど延びているので、係合面７Ａに浸入した雨水が配線引出孔１４に入り込むことを防止できる。
【００６１】
また本変型例においては、ボス１５０が中空を成し、支柱２の内部を通る電力供給線２５がボス１５０の中を通して器具本体１０に導かれるので、電力供給線２５を通す引き出すための配線引出孔１４と、ボス１５０とを別々の位置に設ける必要がなく、構成が簡易になる。
【００６２】
なお、本変形例の照明器具１００において、上述の照明器具１と同様に、排水凹部４０を設けて排水路４２を形成してもよい。
また、本変形例の照明器具１００も、上述の照明器具１と同様に、クランプ１０５の姿勢を変えることで、アーム型の支柱２に取り付けることができる。
【００６３】
（変形例２）
クランプを器具本体の内側で結合する構成の別例を説明する。
図１６は、本変形例に係る器具本体２１０を、後端１０Ａの斜め下側からみた図である。図１７は、本変形例に係るクランプ２０５の斜視図であり、図１８はクランプ２０５を上側から見た平面図である。
図１６に示すように、器具本体２１０の配線引込孔２３０は、長軸ａの長さが短軸ｂの長さよりも長い楕円形状に形成されている。また、配線引込孔２３０は、器具本体２１０の幅方向に、短軸ｂが略平行に配置されている。
【００６４】
クランプ２０５は、図１７、図１８に示すように、筒部６と、フランジ部７と、挿入部２０８とを備えている。
挿入部２０８は、フランジ部７を器具本体２１０に外側から固定する際に、配線引込孔２３０に挿入される部位である。挿入部２０８は、配線引出孔１４の円周に沿った円弧形状に形成され、配線引出孔１４の縁に沿って設けられている。挿入部２０８は、配線引出孔１４の円周の半分より狭い範囲に沿って設けられており、係合面７Ａにおいて、配線引出孔１４の下縁部に設けられているのが望ましい。
【００６５】
挿入部２０８の上端には、引掛片２０８Ａが設けられている。引掛片２０８Ａは、挿入部２０８の上端に沿って設けられ、例えば配線引出孔１４の外径方向に広がる扇状に形成されている。引掛片の形状は他に楕円形状や矩形形状であっても良く、長手方向の寸法Ｌ２が、配線引込孔２３０の長軸ａの長さより短く、短軸ｂの長さよりも長く構成されていれば良い。長手方向に対して９０度回転した短手方向の寸法は、配線引込孔２３０の短軸ｂの長さより短く構成されている必要がある。
【００６６】
図１９、図２０は、クランプ２０５を器具本体２１０に組み付ける際の組み付け作業の様子を示す図である。図１９は、クランプ２０５を器具本体２１０に略垂直な方向なら組み付ける際の組み付け作業の様子を示している。図２０は、クランプ２０５を器具本体２１０に略平行な方向なら組み付ける際の組み付け作業の様子を示している。
図１９に示すように、クランプ２０５を器具本体２１０に略垂直な方向なら組み付ける際は、まず、図１９（Ａ）に示すように、引掛片２０８Ａの長手Ｌ２の方向を、配線引込孔２３０の長軸ａの方向に合わせて、図１９（Ｂ）に示すように、挿入部２０８を、配線引込孔２３０に挿入する。挿入部２０８を、配線引込孔２３０に挿入した後に、図１９（Ｃ）に示すように、引掛片２０８Ａが配線引込孔２３０の下縁部２３０Ａの側に引っ掛かるように、クランプ２０５を回転させる。そして、図１９（Ｄ）に示すように、フランジ部７を、任意の角度で器具本体２１０の外側に固定する。
【００６７】
また、図２０に示すように、クランプ２０５を器具本体２１０に略平行な方向なら組み付ける際は、まず、図２０（Ａ）に示すように、引掛片２０８Ａの長手Ｌ２の方向を、配線引込孔２３０の長軸ａの方向に合わせて、図２０（Ｂ）に示すように、挿入部２０８を、配線引込孔２３０に挿入する。挿入部２０８を、配線引込孔２３０に挿入した後に、図２０（Ｃ）に示すように、引掛片２０８Ａが配線引込孔２３０の上縁部２３０Ｂの側に引っ掛かるように、クランプ２０５を回転させる。そして、図１１（Ｄ）に示すように、フランジ部７を、器具本体２１０の外側に固定する。
【００６８】
このように、クランプ２０５は、フランジ部７が器具本体２１０の外側に固定ボルト１６で固定されているとともに、引掛片２０８Ａが配線引込孔２３０の内側に引っ掛けられている。これによって、フランジ部７と器具本体２１０とを固定する固定ボルト１６が外れたとしても、引掛片２０８Ａが配線引込孔２３０の内側に引っ掛かり結合が維持されるため、器具本体２１０が落下することがない。
また、クランプ２０５の器具本体２１０に対する回転方向を変えるだけで、共通のクランプ２０５を用いて、器具本体２１０を地面から立設されたポール型、及びアーム型の支柱２のいずれにも設置することができる。
なお、本変形例の照明器具１００において、上述の照明器具１と同様に、器具本体１１０の外面１１に排水凹部４０を設けて排水路４２を形成してもよい。
また、本変形例の照明器具１００も、上述の照明器具１と同様に、クランプ１０５の姿勢を変えることで、アーム型の支柱２に取り付けることができる。
【００６９】
なお、本変形例において、上述した照明器具１と同様に、クランプ２０５には、係合面７Ａの配線引出孔１４を囲む壁部１７、傾斜面３４Ａ、３４Ｂ、及び、排水凹部４０による排水路４２を設けてもよい。
【００７０】
上述した実施形態、及び変形例では、道路や街路を照明する照明器具に本発明を適用した場合を例示した。しかしながら、これに限らず、本発明は、支柱に取り付けられる任意の照明器具に適用可能である。
【符号の説明】
【００７１】
１、１００  照明器具
２  支柱
５、１０５、２０５  クランプ（支持部材）
６  筒部
６Ｂ  先端部
７  フランジ部
７Ａ  係合面
１０、１１０、２１０  器具本体
１１  外面
１４  配線引出孔
１６  固定ボルト
１７  壁部
２５  電力供給線（配線）
３０、２３０  配線引込孔
３２  凹部
３４  面内凹部
３４Ａ、３４Ｂ  傾斜面
４０  排水凹部
４２  排水路
４２Ａ  出口
５０、１５０  ボス
５０Ａ  ねじ孔
５１  ボス挿入孔
５６  座金
５８  座金組込ネジ
６０  内面
１６０  係合片
２０８  挿入部
２０８Ａ  引掛片
δ  幅
θ  取付角度
【図１】
2018147794.tif 000003
【図２】
2018147794.tif 000004
【図３】
2018147794.tif 000005
【図４】
2018147794.tif 000006
【図５】
2018147794.tif 000007
【図６】
2018147794.tif 000008
【図７】
2018147794.tif 000009
【図８】
2018147794.tif 000010
【図９】
2018147794.tif 000011
【図１０】
2018147794.tif 000012
【図１１】
2018147794.tif 000013
【図１２】
2018147794.tif 000014
【図１３】
2018147794.tif 000015
【図１４】
2018147794.tif 000016
【図１５】
2018147794.tif 000017
【図１６】
2018147794.tif 000018
【図１７】
2018147794.tif 000019
【図１８】
2018147794.tif 000020
【図１９】
2018147794.tif 000021
【図２０】
2018147794.tif 000022